(57)【要約】      （修正有）【課題】ナースコール親機およびオーダリング装置の間を双方向で通信が可能とし、データ転送の信頼性および動作安定性を高めるとともに、データ管理を容易とする。【解決手段】オーダリング装置１２のクライアントプログラム１２０ａからダウンロード要求があった場合、ナースコール親機１１のサーバプログラム１００ａにより、ナースコール親機に蓄積された呼出履歴情報、或いは親機にて変更された医療看護情報をナースコール動作に影響を与えることなくファイル単位でオーダリング装置のクライアントプログラム１２０ａに転送させることができる。一方、ナースコール親機からアップロード要求があった場合、ナースコール親機のクライアントプログラム１００ｂにより、ナースコール親機に蓄積された呼出履歴情報、或いは親機にて変更された医療看護情報をナースコール動作に影響を与えることなくオーダリング装置のサーバプログラムに転送させることができる。【選択図】図１
2005333361.tif 000002
【特許請求の範囲】
【請求項１】
病院、老人福祉施設等の施設内の各ベッドに設置されたナースコール子機（１ａ〜４ａ、１ｂ〜４ｂ、・・・）の被看護者からの呼び出しを前記施設内に設置されたナースコール制御機（１６）を介して呼出情報として送信し、ナースステーション内に設置され前記被看護者の氏名等の患者管理データおよび前記呼出情報をナースコール親機（１１）にて表示、記憶、通報するナースコールシステムであって、
前記ナースコール親機は、前記ナースコール親機に前記呼び出しに応じて蓄積された呼出履歴情報或いは前記ナースコール親機にて変更されて記憶された医療看護情報をファイルとして保存した後に、前記保存されたファイルをオーダリング装置（１２）に転送することを特徴とするナースコールシステム。
【請求項２】
前記ナースコール親機における前記呼出履歴情報或いは前記医療看護情報を前記オーダリング装置に転送する際に、ＦＴＰおよびＨＴＴＰのうち何れか１つを用いてファイル単位で転送を行うことを特徴とする請求項１記載のナースコールシステム。
【請求項３】
前記ナースコール親機に前記ＦＴＰおよび前記ＨＴＴＰのうち何れか１つのサーバプログラム（１００ａ）を備え、前記オーダリング装置に前記ＦＴＰおよび前記ＨＴＴＰのうち何れか１つのクライアントプログラム（１２０ａ）を備え、前記オーダリング装置からのダウンロード要求により転送を行うことを特徴とする請求項２記載のナースコールシステム
【請求項４】
前記ナースコール親機に前記ＦＴＰおよび前記ＨＴＴＰのうち何れか１つのクライアントプログラム（１００ｂ）を備え、前記オーダリング装置に前記ＦＴＰおよび前記ＨＴＴＰのうち何れか１つのサーバプログラム（１２０ｂ）を備え、前記ナースコール親機からのアップロード要求により転送を行うことを特徴とする請求項２記載のナースコールシステム。
【発明の詳細な説明】
【技術分野】
【０００１】
本発明は、病院、老人福祉施設等の施設内に設置されるナースコールシステムに係り、特に、ナースコール親機およびオーダリング装置の間を双方向で通信が可能としたナースコールシステムに関する。
【背景技術】
【０００２】
従来から、この種のナースコールシステムとして、無線端末の表示部に表示される呼出表示データとして、呼出元の患者の呼出種別、部屋番号・子機番号とともに、オーダリングシステムに予め保存されている患者名、重症度、救護区分、感染症等の患者情報を必要に応じて表示させることができるナースコール装置が提案されている（例えば、特許文献１を参照）
従来例のナースコール装置によれば、病室内の病床の患者の呼出操作によるナースコール子機からの呼出種別（詳述せず）が異なる呼び出しがあった場合、病院内を巡回中の看護人、例えば、看護婦（看護師）により携帯される無線端末の表示部では、呼出元の患者の呼出種別、部屋番号・子機番号とともに、オーダリングシステムに予め保存されている患者名、重症度、救護区分、感染症等の患者情報が必要に応じて表示されることにより、これを確認した看護婦（看護師）は、呼出元の患者の重症度に対応した準備、患者の救護区分による車椅子等の移動器具の準備、感染症の患者に対応するための準備等を迅速に行うことができる。
【０００３】
【特許文献１】特開２００３−２５９０１８号公報（段落番号００１１、００１６〜００３０、図１、図２）
【発明の開示】
【発明が解決しようとする課題】
【０００４】
従来例のナースコール装置において、ナースコール親機に表示される病床の患者毎の患者情報等は、オーダリングシステムから一方向の伝送路を介して定期的に配信された情報であり、ナースコール親機からオーダリングシステムへの伝送プロトコルが形成されていないため、ナースコール親機にナースコール子機からの呼び出しに応じて蓄積された呼出履歴情報或いは当該ナースコール親機に変更されて記憶された医療患者情報をオーダリングシステムへと伝送させることができず、オーダリングシステムでは、上述の呼出履歴情報或いは医療患者情報をデータ入力せねばならず手間を要していた。
【０００５】
また、上述の内容を改善するために双方向通信を試みても、リアルタイムの通信プロトコルではナースコール親機の負荷が高くなりすぎて実現できなかった。
【０００６】
本発明は、上述の難点を解消するためになされたもので、ナースコール親機およびオーダリング装置の間を双方向で通信が可能とし、ナースコール親機にナースコール子機からの呼び出しに応じて蓄積された呼出履歴情報或いは当該ナースコール親機に変更されて記憶された医療患者情報について、オーダリング装置からナースコール親機へのダウンロード要求、またはナースコール親機からオーダリングシステムへのアップロード要求によりファイルとして転送させてデータ転送の信頼性および動作安定性を高めるとともに、データ管理を容易としたナースコールシステムを提供することを目的としている。
【課題を解決するための手段】
【０００７】
上述の目的を達成するため、本発明のナースコールシステムは、病院、老人福祉施設等の施設内の各ベッドに設置されたナースコール子機の被看護者からの呼び出しを施設内に設置されたナースコール制御機を介して呼出情報として送信し、ナースステーション内に設置され被看護者の氏名等の患者管理データおよび呼出情報をナースコール親機にて表示、記憶、通報する当該システムである。ナースコール親機は、ナースコール親機に呼び出しに応じて蓄積された呼出履歴情報或いはナースコール親機にて変更されて記憶された医療看護情報をファイルとして保存した後に、保存されたファイルをオーダリング装置に転送するものである。
【０００８】
また、本発明のナースコールシステムは、ナースコール親機における呼出履歴情報或いは医療看護情報をオーダリング装置に転送する際に、ＦＴＰおよびＨＴＴＰのうち何れか１つを用いてファイル単位で転送を行うものである。
【０００９】
また、本発明のナースコールシステムは、ナースコール親機にＦＴＰおよびＨＴＴＰのうち何れか１つのサーバプログラムを備え、オーダリング装置にＦＴＰおよびＨＴＴＰのうち何れか１つのクライアントプログラムを備え、オーダリング装置からのダウンロード要求により転送を行うものである。
【００１０】
また、本発明のナースコールシステムは、ナースコール親機にＦＴＰおよびＨＴＴＰのうち何れか１つのクライアントプログラムを備え、オーダリング装置にＦＴＰおよびＨＴＴＰのうち何れか１つのサーバプログラムを備え、ナースコール親機からのアップロード要求により転送を行うものである。
【発明の効果】
【００１１】
本発明のナースコールシステムによれば、ナースコール子機からの呼び出しによりナースコール制御機を介して伝送されてくる呼出情報に付加されている被看護者の氏名等の患者管理データおよび呼出情報を表示、記憶、通話するナースコール親機は、ＦＴＰおよびＨＴＴＰのうち何れか１つを用いてオーダリング装置との間にてファイル単位で呼出履歴情報或いは医療看護情報の転送を行うことができ、特に、オーダリング装置に備えられたＦＴＰおよびＨＴＴＰのうち何れか１つのクライアントプログラムからのダウンロード要求があった場合には、ナースコール親機に備えられたナースコール用プログラムと独立しているＦＴＰおよびＨＴＴＰのうち何れか１つのサーバプログラムにより、当該ナースコール親機に蓄積された呼出履歴情報、或いは当該ナースコール親機にて変更されて記憶された医療看護情報をナースコール動作に影響を与えることなくファイル単位でオーダリング装置に備えられたＦＴＰおよびＨＴＴＰのうち何れか１つのクライアントプログラムに転送させることができる。一方、ナースコール親機からのアップロード要求があった場合には、ナースコール親機に備えられたナースコール用プログラムと独立しているＦＴＰおよびＨＴＴＰのうち何れか１つのクライアントプログラムにより、当該ナースコール親機に蓄積された呼出履歴情報、或いは当該ナースコール親機にて変更されて記憶された医療看護情報をナースコール動作に影響を与えることなくオーダリング装置に備えられたＦＴＰおよびＨＴＴＰのうち何れか１つのサーバプログラムに転送させることができる。
【００１２】
また、本発明のナースコールシステムによれば、サーバプログラムおよびクライアントプログラムの動作はナースコール親機およびオーダリング装置にてそれぞれ確立されているため、特別なプログラムの開発を必要とせず、特に、ナースコール動作に影響を与えずにオーダリング装置へ呼出履歴情報或いは医療看護情報の転送を行うことができ、データ転送の信頼性および動作安定性が高められる。
【００１３】
さらに、本発明のナースコールシステムによれば、ナースコール親機に保存される、および／またはナースコール親機からオーダリング装置に転送される呼出履歴情報或いは医療看護情報は、ファイル単位で管理されているため、これらの情報に異常が発生したときに行われるメンテナンス等のデータ管理が容易となる。
【発明を実施するための最良の形態】
【００１４】
以下、本発明のナースコールシステムを適用した最良の実施の形態例について、図面を参照して説明する。
【００１５】
図１は、本発明の実施例によるナースコールシステムの構成を示すシステム説明図である。
【００１６】
図１のシステム説明図に示すナースコールシステムは、病院、老人福祉施設等の施設内において、Ａ号室、Ｂ号室、・・・のようなそれぞれの部屋の各ベッドに設置され個別の子機番号を有しており、被看護者、例えば、患者や老人が看護者であるナースステーション内に在室中の看護師（以下、在室看護師という。）や後述する携帯端末１３ａ、１３ｂ、・・・を携行しながら施設内を巡回中の複数の看護師（以下、巡回看護師という。）のうち担当の巡回看護師を呼出種別（通常のナースコール呼び出し、緊急呼び出し、トイレ介助呼び出し等）毎、異なるパターンで呼び出して通話を行うためのナースコール子機、ここでは、それぞれの部屋４台ずつのナースコール子機１ａ〜４ａ、１ｂ〜４ｂ、・・・と、各部屋の出入口近傍や廊下先にそれぞれ設置され個別の廊下灯番号を有しており、子機ラインＬ1a〜Ｌ4a、Ｌ1b〜Ｌ4b、・・・を介して接続されたナースコール子機１ａ〜４ａ、１ｂ〜４b、・・・からの呼び出しを呼出種別毎で検出／報知し、被看護者からの呼び出しがある旨の呼出情報を廊下灯ラインＬ13に送出するための集合廊下灯１０ａ、１０ｂ、・・・と、ナースステーション内に設置されており、被看護者からの呼び出しがある旨の呼出音や音声メッセージの出力を行うとともに在室看護師が被看護者との間で通話を行うための呼出・通話部１１ａ、親機機器ラインＬ10を介して呼出・通話部１１ａに接続され、被看護者からの呼び出しがある旨のデータとして当該被看護者の氏名等の患者管理データおよび呼出情報を表示、記憶、通報するためのナースコール用パーソナルコンピュータ（以下、ナースコール用ＰＣという。）１１ｂを有するナースコール親機１１と、ＴＣＰ／ＩＰ（Transmission Control Protocol/Internet Protocol）プロトコルを使用したオーダリングラインＬ11を介してナースコール親機１１のナースコール用ＰＣ１１ｂに接続されており、ナースコール用ＰＣ１１ｂに被看護者からの呼び出しに応じて蓄積された呼出履歴情報或いは当該ナースコール用ＰＣにて変更されて記憶された医療看護情報をファイルとして保存するためのオーダリング装置１２と、複数の巡回看護師によりそれぞれ携行され個別の端末番号を有しており、被看護者からの呼び出しがある旨の呼出音や音声メッセージが出力されるとともに呼出種別情報が表示され、巡回看護師が被看護者との間で通話を行うためのＰＨＳ（Personal Handyphone System）等の携帯端末１３ａ、１３ｂ、・・・と、携帯端末１３ａ、１３ｂ、・・・との間で無線による通信ラインをそれぞれ形成するための無線基地局１４と、基地局ラインＬ12を介して接続された無線基地局１４および交換機ラインＬ15を介して接続された後述するナースコール制御機１６の間の通信ラインを形成するためのデジタル方式の交換機１５と、廊下灯ラインＬ13を介して接続された集合廊下灯１０ａ、１０ｂ、・・・、親機ラインＬ14を介して接続されたナースコール親機１１の呼出・通話部１１ａ、交換機ラインＬ15を介して接続された交換機１５をそれぞれ制御するためのナースコール制御機１６とから構成されている。
【００１７】
また、ナースコール親機１１のナースコール用ＰＣ１１ｂは、当該ナースコール用ＰＣに蓄積される呼出履歴情報、或いは当該ナースコール用ＰＣにて変更されて記憶される医療看護情報をオーダリングラインＬ11を介してオーダリング装置１２にファイル単位で転送（データ転送）させるにあたり、オーダリング装置１２の後述するクライアントプログラム１２０ａからのダウンロード要求により転送を行うためのＦＴＰ（File Transfer Protocol）およびＨＴＴＰ（Hyper Text Transfer Protocol）のうち何れか１つのサーバプログラム１００ａと、上述の呼出履歴情報或いは医療看護情報を当該ナースコール用ＰＣからのアップロード要求により転送を行うためのＦＴＰおよびＨＴＴＰのうち何れか１つのクライアントプログラム１００ｂとを備えている。
【００１８】
さらに、オーダリング装置１２は、ナースコール親機１１のナースコール用ＰＣ１１ｂからオーダリングラインＬ11を介した上述の呼出履歴情報或いは医療看護情報をファイル単位で転送させるためにダウンロード要求を行うＦＴＰおよびＨＴＴＰのうち何れか１つのクライアントプログラム１２０ａと、上述の呼出履歴情報或いは医療看護情報がファイル単位で転送されてくるＦＴＰおよびＨＴＴＰのうち何れか１つのサーバプログラム１２０ｂとを備えている。
【００１９】
なお、ナースコール親機１のナースコール用ＰＣ１１ｂに蓄積される呼出履歴情報とは、ナースコール子機１ａ〜４ａ、１ｂ〜４ｂ、・・・からの呼出種別毎で異なる呼び出しの履歴を記憶した情報であり、呼出時刻、呼び出しから応答までに要した時間、呼出元である被看護者の氏名、担当の看護師名、呼び出しに対応した処置内容等の情報が含まれる。
【００２０】
また、ナースコール親機１のナースコール用ＰＣ１１ｂにて変更されて記憶される医療看護情報とは、担送、護送、独歩等にて示される被看護者の救護区分、検査予定、定型的な処置内容等の情報が含まれる。
【００２１】
このように構成された本発明の実施例によるナースコールシステムにおいて、以下、具体的な動作について説明する。
【００２２】
図１のシステム説明図において、Ａ号室内でナースコール子機１ａがベッドに設置されている被看護者が、在室看護師や携帯端末１３ａ、１３ｂ、・・・を携行している巡回看護師のうち担当の看護師を呼び出す、ここでは、複数の呼出種別（通常のナースコール呼び出し、緊急呼び出し、トイレ介助呼び出し等）のうち緊急呼び出しを行うためにナースコール子機１ａの呼出機能を能動にすると、呼出元のナースコール子機１ａに子機ラインＬ1aを介して接続されている集合廊下灯１０ａでは、緊急呼び出しがある旨の呼出種別データ、自廊下灯に割り当てられている廊下灯番号、呼出元のナースコール子機１ａに割り当てられている子機番号を付加させた呼出情報を信号処理して廊下灯ラインＬ13に送出する。信号処理された呼出情報信号は、廊下灯ラインＬ13を介して（集合廊下灯１０ａを除く）他の集合廊下灯１０ｂ、・・・とナースコール制御機１６とへそれぞれ伝送される。
【００２３】
なお、集合廊下灯１０ａでは、廊下灯ラインＬ13への呼出情報信号の送出ばかりでなく、ナースコール子機１ａがベッドに設置されている被看護者からの緊急呼び出しがある旨をＡ号室の出入口近傍や廊下先に居る看護師等に対して報知するため、呼出表示灯（詳述せず）を所定のパターンで点滅／点灯させることもできる。
【００２４】
集合廊下灯１０ａを除く他の集合廊下灯１０ｂ、・・・では、集合廊下灯１０ａからの呼出情報信号がナースコール制御機１６からの出力信号でないことにより、通常、呼出情報信号を無効であるとそれぞれ判断し、集合廊下灯１０ａのような報知は行われない。
【００２５】
ナースコール制御機１６は、集合廊下灯１０ａからの呼出情報信号に付加されている廊下灯番号に割り当てられて予め保存されているＡ号室の部屋番号を検出し、この部屋番号と上述の呼出種別データ、子機番号とを付加させた呼出報知信号を親機ラインＬ14に送出する。この呼出報知信号は、親機ラインＬ14を介してナースコール親機１１の呼出・通話部１１ａへと伝送されるとともに、当該呼出・通話部から親機機器ラインＬ10を介してナースコール用ＰＣ１１ｂへと伝送される。
【００２６】
ナースコール親機１１の呼出・通話部１１ａは、ナースコール制御機１６からの呼出報知信号に付加されている呼出種別データ、部屋番号、子機番号をもとにＡ号室内でナースコール子機１ａがベッドに設置されている被看護者からの緊急呼び出しがある旨を検出し、検出された旨の呼出音や音声メッセージを出力する。
【００２７】
ナースコール親機１１のナースコール用ＰＣ１１ｂは、ナースコール制御機１６からの呼出報知信号に付加されている呼出種別データ、部屋番号、子機番号をもとにＡ号室内でナースコール子機１ａがベッドに設置されている被看護者からの緊急呼び出しがある旨を検出し、被看護者の氏名、重症度、救護区分、感染症、診療科目、チーム番号等の患者管理データおよび上述の呼出情報を表示させたり呼出履歴情報をファイルとして蓄積／保存するばかりでなく、特定の項目の被看護者情報、例えば、被看護者の名前、重症度、救護区分等の被看護者情報と呼出種別データ、部屋番号、子機番号とを付加させた呼出制御信号を生成する。この呼出制御信号は、ナースコール用ＰＣ１１ｂから親機機器ラインＬ10、呼出・通話部１１ａ、親機ラインＬ14を介してナースコール制御機１６へと伝送される。
【００２８】
ナースコール制御機１６は、ナースコール親機１１のナースコール用ＰＣ１１ｂからの呼出制御信号に付加されている特定の項目の患者情報、呼出種別データ、部屋番号、子機番号をそれぞれ検出し、部屋番号および子機番号に割り当てられて予め保存されているチーム番号に対応した端末番号と、呼出種別データ、部屋番号、子機番号からなる呼出元の表示データと、特定の項目の患者情報とを付加させた端末呼出制御信号を交換機ラインＬ15に送出する。この端末呼出制御信号は、交換機ラインＬ15、交換機１５、基地局ラインＬ12、無線基地局１４を介して無線信号に変換された後、全ての携帯端末１３ａ、１３ｂ、・・・へとそれぞれ伝送される。
【００２９】
全ての携帯端末１３ａ、１３ｂ、・・・は、ナースコール制御機１６からの端末呼出制御信号に付加されているチーム番号に対応した端末番号、呼出種別、呼出元の表示データ、特定の項目の患者情報のうちチーム番号に対応した端末番号と自端末に割り当てられている個別の端末番号とを照合し、一致した場合にのみ呼出種別、呼出元の表示データ、特定の項目の患者情報をそれぞれ有効であると判断して、呼出種別毎で異なるパターンの表示を行うとともに呼出音や音声メッセージの出力を行う。ここでは、Ａ号室内でナースコール子機１ａがベッドに設置されている被看護者を担当する巡回看護師により携行された携帯端末１３ａのみ端末番号が一致して上述の報知が行われたものとする。
【００３０】
なお、携帯端末１３ａには、上述の呼出表示データの他に、呼出時刻、すなわち、ナースコール制御機１６からの端末呼出制御信号が受信された時刻を表示させることもできる。
【００３１】
ここで、Ａ号室内でナースコール子機１ａがベッドに設置されている被看護者からの緊急呼び出しがあることを確認した在室看護師および携帯端末１３ａを携行している巡回看護師は、それぞれ呼出元の被看護者の重症度に対応した準備、患者の救護区分による車椅子等の移動器具の準備、感染症の患者に対応するための準備等を迅速に行うことができるばかりでなく、最先に応答した看護師、先ず、在室看護師がナースコール親機１１の呼出・通話部１１ａにて応答すると、当該呼出・通話部が有する通話機能と、親機ラインＬ14、ナースコール制御機１６、廊下灯ラインＬ13、集合廊下灯１０ａ、子機ラインＬ1aを介してナースコール子機１ａが有する通話機能との間の通話ラインが形成され、形成された通話ラインを介して音声信号を送受信させることにより、在室看護師とＡ号室内でナースコール子機１ａがベッドに設置されている被看護者との間で通話を行うことができる。
【００３２】
一方、携帯端末１３ａを携行している巡回看護師が当該携帯端末にて応答すると、携帯端末１３ａが有する通話機能と、無線基地局１４、基地局ラインＬ12、交換機１５、交換機ラインＬ15、ナースコール制御機１６、廊下灯ラインＬ13、集合廊下灯１０ａ、子機ラインＬ1aを介してナースコール子機１ａが有する通話機能との間の通話路が形成され、形成された通話路を介して音声信号を送受信させることにより、携帯端末１３ａを携行している巡回看護師とＡ号室内でナースコール子機１ａがベッドに設置されている被看護者との間で通話を行うことができる。
【００３３】
次に、ナースコール親機１１のナースコール用ＰＣ１１ｂは、当該ナースコール用ＰＣに蓄積された呼出履歴情報、ここでは、上述のようにナースコール子機１ａからの緊急呼び出しに応じて蓄積された呼出履歴情報、或いは当該ナースコール用ＰＣにて変更されて記憶された医療看護情報をファイルとして保存した後において、オーダリングラインＬ11を介して接続されたオーダリング装置１２のクライアントプログラム１２０ａからのダウンロード要求があった場合、ナースコール用ＰＣ１１ｂのサーバプログラム１００ａにより、ファイルとして蓄積／記憶されている呼出履歴情報或いは医療看護情報をファイル単位でオーダリング装置１２のクライアントプログラム１２０ａに転送させることができる。
【００３４】
また、ナースコール親機１１のナースコール用ＰＣ１１ｂは、当該ナースコール用ＰＣに蓄積された呼出履歴情報、ここでは、上述のようにナースコール子機１ａからの緊急呼び出しに応じて蓄積された呼出履歴情報、或いは当該ナースコール用ＰＣにて変更されて記憶された医療看護情報をファイルとして保存した後において、当該ナースコールＰＣからのアップロード要求があった場合、ナースコール用ＰＣ１１ｂのクライアントプログラム１００ｂにより、ファイルとして蓄積／記憶されている呼出履歴情報或いは医療看護情報をオーダリングラインＬ11を介してファイル単位でオーダリング装置１２のサーバプログラム１２０ｂに転送させることができる。
【００３５】
上述の説明から明らかなように、サーバプログラム１００ａ、１２０ｂおよびクライアントプログラム１００ｂ、１２０ａの動作はナースコール親機１１のナースコール用ＰＣ１１ｂおよびオーダリング装置１２にてそれぞれ確立されているため、特別なプログラムの開発を必要とせず、特に、ナースコール動作に影響を与えずにオーダリング装置１２へ呼出履歴情報或いは医療看護情報の転送を行うことができ、データ転送の信頼性および動作安定性が高められる。
【００３６】
また、ナースコール親機１１のナースコール用ＰＣ１１ｂに保存される、および／またはナースコール用ＰＣ１１ｂからオーダリング装置１２に転送される呼出履歴情報或いは医療看護情報は、ファイル単位で管理されているため、これらの情報に異常が発生したときに行われるメンテナンス等のデータ管理が容易となる。
【産業上の利用可能性】
【００３７】
本発明の実施例では、ナースコール親機１１のナースコール用ＰＣ１１ｂにファイルとして保存される情報として、ナースコール子機１ａ〜４ａ、１ｂ〜４ｂ、・・・からの呼出種別毎で異なる呼び出しの履歴を記憶した呼出履歴情報や当該ナースコール用ＰＣにて変更されて記憶された医療看護情報を適用したが、これらの情報に限定されず、被看護者の施設への入退院情報、担当医師の情報、担当看護師の情報等、施設への入院から退院までの間に変化しない固定した情報を適用することもでき、この情報をナースコール用ＰＣ１１ｂにて入力し、上述のデータ転送手段を用いてオーダリング装置１２に転送することにより、オーダリング装置１２でのデータ入力の手間が省かれる。
【００３８】
また、本発明の実施例では、ナースコール子機１ａからの緊急呼び出しがある旨の報知を携帯端末１３ａにて行うにあたり、携帯端末１３ａを指定するための端末番号をナースコール子機１６に予め保存されているチーム番号に対応させて読み出したが、これに限定されず、携帯端末１３ａを指定するための端末番号をナースコール親機１１のナースコール用ＰＣ１１ｂにて生成される呼出制御信号に付加させることもできる。
【００３９】
さらに、本発明の実施例では、ナースコール親機１１として、親機機器ラインＬ10を介して分離された構成される呼出・通話部１１ａおよびナースコール用ＰＣ１１ｂを適用したが、この形態に限定されず、呼出・通話部１１ａとナースコール用ＰＣ１１ｂとが一体的に形成されるナースコール親機も好適である。
【図面の簡単な説明】
【００４０】
【図１】本実施例の実施例によるナースコールシステムの構成を示すシステム説明図。
【符号の説明】
【００４１】
１ａ〜４ａ、１ｂ〜４ｂ、・・・ ……ナースコール子機
１１（１１ａ、１１ｂ）……ナースコール親機
１００ａ……サーバプログラム
１００ｂ……クライアントプログラム
１２……オーダリング装置
１２０ａ……クライアントプログラム
１２０ｂ……サーバプログラム
１６……ナースコール制御機
【図１】
2005333361.tif 000003